(57)【要約】      （修正有）【課題】コストを抑制しながら光装飾の意匠を容易に変更できる遊技機設置島用飾り具を提供する。【解決手段】遊技機設置島用飾り具２は、飾り具本体１０と、飾り具本体に支持された装飾用導光板１５と、装飾用導光板の端面に対向するように飾り具本体に支持され、複数のＬＥＤが装飾用導光板の端面に沿って配列して実装されたＬＥＤ基板２０と、ＬＥＤ基板と装飾用導光板の端面との間に設けられ、ＬＥＤが発する光を着色して装飾用導光板の端面に入射させる着色透光部材２５と、を含む。着色透光部材２５は、飾り具本体に対して着脱自在に支持されていることが好ましい。たとえば、着色透光部材は、飾り具本体の上端面から抜き差しできる。【選択図】図２
0003210434.tif 000002
【実用新案登録請求の範囲】
【請求項１】
遊技場における複数の遊技機が配列される遊技機設置島に配置される飾り具であって、
飾り具本体と、
飾り具本体に支持された装飾用導光板と、
前記装飾用導光板の端面に対向するように前記飾り具本体に支持され、複数のＬＥＤが前記装飾用導光板の端面に沿って配列して実装されたＬＥＤ基板を含み、前記装飾用導光板の端面に入射する光の色を変更可能な色可変端面光源ユニットと、
を含む、遊技機設置島用飾り具。
【請求項２】
前記飾り具本体が前記装飾用導光板の端面を取り囲む枠状に構成されており、
前記ＬＥＤ基板が、前記装飾用導光板の端面を外側から照らすように配置されている、請求項１に記載の遊技機設置島用飾り具。
【請求項３】
前記飾り具本体が、板状に構成されており、前記飾り具が妻板型の島飾りを構成している、請求項１または２に記載の遊技機設置島用飾り具。
【請求項４】
前記色可変端面光源ユニットが、前記ＬＥＤ基板と前記装飾用導光板の端面との間に設けられ、前記ＬＥＤが発する光を着色して前記装飾用導光板の端面に入射させる着色透光部材を含む、請求項１〜３のいずれか一項に記載の遊技機設置島用飾り具。
【請求項５】
前記着色透光部材が、前記飾り具本体に対して着脱自在に支持されている、請求項４に記載の遊技機設置島用飾り具。
【請求項６】
前記装飾用導光板を挟持する挟持溝と、前記挟持溝の底部に設けられ前記ＬＥＤ基板を支持するＬＥＤ基板支持部と、前記着色透光部材を支持する着色透光部材支持部とを有し、前記飾り具本体に取り付けられるフレームをさらに含む、請求項４または５に記載の遊技機設置島用飾り具。
【請求項７】
前記着色透光部材支持部が、前記装飾用導光板の端面に沿ったレール形状を有し、前記着色透光部材をスライド可能に支持している、請求項６に記載の遊技機設置島用飾り具。
【請求項８】
前記装飾用導光板の端面が、上下方向に沿った側面を有しており、前記フレームが前記側面に沿って上下方向に延びて設けられ、前記レール形状の着色透光部材支持部が、飾り具本体の上面に開いたレール形状を有し、前記着色透光部材をスライド可能に支持している、請求項６に記載の遊技機設置島用飾り具。
【請求項９】
前記装飾用導光板の端面が、上下方向に沿った左右一対の側面を有しており、一対の前記フレームが前記一対の側面にそれぞれ沿って上下方向に延びて設けられ、前記レール形状の着色透光部材支持部が、前記飾り具本体の上面に開いたレール形状を有し、前記着色透光部材をスライド可能に支持している、請求項６に記載の遊技機設置島用飾り具。
【請求項１０】
前記ＬＥＤ基板が、複数色の光を発光可能な多色発光ＬＥＤ基板であり、
前記色可変端面光源ユニットが、前記多色発光ＬＥＤ基板の発光色を可変設定する発光色設定回路を含む、請求項１〜９のいずれか一項に記載の遊技機設置島用飾り具。
【請求項１１】
前記飾り具本体が板状に構成されており、前記装飾用導光板および前記ＬＥＤ基板が、前記飾り具本体の厚み内に配置されている、請求項１〜１０のいずれか一項に記載の遊技機設置島用飾り具。
【請求項１２】
前記装飾用導光板の背面側に配置された反射鏡をさらに含む、請求項１〜１１のいずれか一項に記載の遊技機設置島用飾り具。
【考案の詳細な説明】
【技術分野】
【０００１】
この考案は、遊技機設置島用の飾り具に関する。
【背景技術】
【０００２】
遊技場においては、複数の遊技機（パチンコ機やパチスロ機）が配列されて、複数の遊技機を含む遊技機設置島が構成されている。遊技機設置島の島端（一端および他端）には、飾り具が配置されている。このような飾り具のうち、厚みの厚いものは島飾り、厚みの薄いものは妻板と呼ばれることが多い。
特許文献１には、ベースパネルと、ベースパネルと一体に形成された上部パネルと、上部パネルの側面に埋め込まれたフレームと、フレームに内蔵されたＬＥＤ基板と、フレームに対して着脱自在な導光板とを備えた遊技機設置島用妻板が開示されている。導光板は、ＬＥＤ基板に実装された複数のＬＥＤからの光を利用して光装飾効果を生じる。導光板は、フレームに対して着脱できるので、導光板を交換することによって、妻板の意匠を変更することができ、それによって、遊技場の店内改装を行える。
【先行技術文献】
【特許文献】
【０００３】
【特許文献１】特開２００８−２２０８４０号公報
【考案の概要】
【考案が解決しようとする課題】
【０００４】
光装飾効果を高めるためには、導光板が或る程度の大きさを有している必要がある。そのため、導光板の製造コストが高く、それゆえ交換用の導光板の価格が高くなる。また、大きな構造物である導光板の交換には、相応の労力を要する。
そこで、この考案の一つの目的は、コストを抑制しながら光装飾の意匠を変更できる遊技機設置島用飾り具を提供することである。
【０００５】
また、この考案の他の目的は、光装飾の意匠変更が容易な遊技機設置島用飾り具を提供することである。
【課題を解決するための手段】
【０００６】
この考案は、遊技場における複数の遊技機が配列される遊技機設置島に配置される飾り具を提供する。この遊技機設置島用飾り具は、飾り具本体と、飾り具本体に支持された装飾用導光板と、前記装飾用導光板の端面に対向するように前記飾り具本体に支持され、複数のＬＥＤが前記装飾用導光板の端面に沿って配列して実装されたＬＥＤ基板を含み、前記装飾用導光板の端面に入射する光の色を変更可能な色可変端面光源ユニットと、を含む。
【０００７】
この考案の一実施形態では、前記飾り具本体が前記装飾用導光板の端面を取り囲む枠状に構成されており、前記ＬＥＤ基板が、前記装飾用導光板の端面を外側から照らすように配置されている。
この考案の一実施形態では、前記飾り具本体が、板状に構成されており、前記飾り具が妻板型の島飾りを構成している。
【０００８】
この考案の一実施形態では、前記色可変端面光源ユニットが、前記ＬＥＤ基板と前記装飾用導光板の端面との間に設けられ、前記ＬＥＤが発する光を着色して前記装飾用導光板の端面に入射させる着色透光部材を含む。
この考案の一実施形態では、前記着色透光部材が、前記飾り具本体に対して着脱自在に支持されている。
【０００９】
この考案の一実施形態では、遊技機設置島用飾り具が、前記装飾用導光板を挟持する挟持溝と、前記挟持溝の底部に設けられ前記ＬＥＤ基板を支持するＬＥＤ基板支持部と、前記着色透光部材を支持する着色透光部材支持部とを有し、前記飾り具本体に取り付けられるフレームをさらに含む。
この考案の一実施形態では、前記着色透光部材支持部が、前記装飾用導光板の端面に沿ったレール形状を有し、前記着色透光部材をスライド可能に支持している。
【００１０】
この考案の一実施形態では、前記装飾用導光板の端面が、上下方向に沿った側面を有しており、前記フレームが前記側面に沿って上下方向に延びて設けられ、前記レール形状の着色透光部材支持部が、前記飾り具本体の上面に開いたレール形状を有し、前記着色透光部材をスライド可能に支持している。
この考案の一実施形態では、前記装飾用導光板の端面が、上下方向に沿った左右一対の側面を有しており、一対の前記フレームが前記一対の側面にそれぞれ沿って上下方向に延びて設けられ、前記レール形状の着色透光部材支持部が、飾り具本体の上面に開いたレール形状を有し、前記着色透光部材をスライド可能に支持している。
【００１１】
この考案の一実施形態では、前記ＬＥＤ基板が、複数色の光を発光可能な多色発光ＬＥＤ基板であり、前記色可変端面光源ユニットが、前記多色発光ＬＥＤ基板の発光色を可変設定する発光色設定回路を含む。
この考案の一実施形態では、前記飾り具本体が板状に構成されており、前記装飾用導光板および前記ＬＥＤ基板が（さらに好ましくは前記着色透光部材も）、前記飾り具本体の厚み内に配置されている。
【００１２】
この考案の一実施形態では、遊技機設置島用飾り具が、前記装飾用導光板の背面側に配置された反射鏡をさらに含む。
【考案の効果】
【００１３】
この考案によれば、色可変端面光源ユニットから発した光が装飾用導光板の端面に入射する。たとえば、装飾用導光板に凹凸や模様を形成しておくことにより、装飾用導光板内を進む光をその進行方向に交差する方向へ導くことができ、それにより、ＬＥＤの発する光によって、装飾用導光板を用いた光装飾効果を実現できる。
色可変端面光源ユニットから装飾用導光板の端面に入射する光の色を変更すれば、光装飾効果の意匠を変更できるから、コストを抑制しながら光装飾の意匠を容易に変更することができる。とくに、装飾用導光板の設計を変更する必要がないので、光装飾効果の意匠変更が、安価でかつ容易に行える。
【００１４】
しかも、ＬＥＤ基板の端面に対向するように色可変端面光源ユニットを設ける構成は、標準的な妻板の厚み（たとえば４５〜８０ミリメートル）の範囲内に収容することができる。それにより、妻板型の島飾りを実現することができるから、遊技場の店内スペースが広くない場合であっても、光装飾効果を伴う島飾りを設置し、かつ十分な通路スペースを確保できる。
【図面の簡単な説明】
【００１５】
【図１】遊技機設置島の一端部の図解的な斜視図である。
【図２】前記遊技機設置島用飾り具の正面図である。
【図３】前記遊技機設置島用飾り具における光装飾表示のための構成を説明するための分解斜視図である。
【図４】前記遊技機設置島用飾り具の横断面図である。
【図５】前記遊技機設置島用飾り具の一部を拡大して示す拡大横断面図である。
【図６】この考案の他の実施形態に係る遊技機設置島用飾り具の正面図である。
【図７】この考案のさらに他の実施形態に係る遊技機設置島用飾り具の構成を説明するための分解斜視図である。
【図８】この考案のさらに他の実施形態に係る遊技機設置島用飾り具の構造を説明するための断面図である。
【図９】この考案のさらに他の実施形態に係る遊技機設置島用飾り具の構成を説明するための分解斜視図である。
【考案を実施するための形態】
【００１６】
以下では、この考案の実施の形態を、添付図面を参照して詳細に説明する。
図１は、遊技機設置島の一端部の図解的な斜視図であり、この考案の一実施形態に係る遊技機設置島用飾り具２が備えられた状態が示されている。遊技場においては、複数台の遊技機１（パチンコ機やパチスロ機等）が隣設して配列され、かつ、複数台の遊技機１が背中合わせに配列されて、遊技機設置島３が構成されている。各遊技機１の上方には、幕板７が取り付けられている。遊技機設置島３の一端に遊技機設置島用飾り具２が備えられている。この遊技機設置島用飾り具２は、この実施形態では、妻板の形態を有しており、いわば妻板型島飾りを構成している。
【００１７】
図２は遊技機設置島用飾り具２の正面図である。遊技機設置島用飾り具２は、正面視において、縦長矩形を有しており、前後方向に所定の厚みを有している。より具体的には、この実施形態では、遊技機設置島用飾り具２は、前後方向の厚みが例えば５０ミリメートル程度であり、標準的な厚みの妻板の形態を有している。遊技機設置島用飾り具２は、飾り具本体１０を有しており、この飾り具本体１０は、ベース板１１と、扉板１２と、巾木１３とを有し、標準的な妻板と同様な板状の形態を有している。
【００１８】
扉板１２は、ベース板１１の左右方向中央に配置されてベース板１１と合わせられ、右側辺を回動中心として、前方へ開くことができるようにベース板１１に結合されている。扉板１２には、装飾用導光板１５が嵌め込まれている。装飾用導光板１５は、この実施形態では、正面視において縦長の矩形に形成されている。飾り具本体１０は、装飾用導光板１５の端面を取り囲む枠状に構成されている。
【００１９】
ベース板１１には、両側辺の上端部付近に、それぞれ呼び出し表示器１６が配置されている。呼び出し表示器１６は、遊技機１に設けられた呼び出しスイッチが操作されることによって呼び出し点灯状態となり、客の呼び出し要求を係員に報知する。さらに、ベース板１１には、両側部の上下方向中央付近に機種名表示器１７が配置されている。機種名表示器１７は、扉板１２の左右にそれぞれ位置しており、遊技機設置島３を構成する遊技機１の機種名を表示する。
【００２０】
図３は、装飾用導光板１５による光装飾表示のための構成を説明するための分解斜視図である。装飾用導光板１５の両側面に沿って、上下方向に延びる線状のＬＥＤ基板２０がそれぞれ配置されている。ＬＥＤ基板２０は、基板２１と、その基板２１の装飾用導光板１５の側面に対向する表面に配列された複数のＬＥＤ素子２２（発光ダイオード素子）とを含む。したがって、ＬＥＤ基板２０は、装飾用導光板１５の側面を外側から照らすように配置されている。ＬＥＤ基板２０と装飾用導光板１５の側面との間に、着色透光部材２５が配置されている。着色透光部材２５は、この実施形態では、装飾用導光板１５の側面に対向し、この側面と平行に上下方向に延びる着色された透明な帯状板である。着色透光部材２５は、たとえば着色されたアクリル板（カラーアクリル板）で構成することができる。ＬＥＤ基板２０に実装された複数のＬＥＤ素子２２は、この実施形態では、白色ＬＥＤ素子であり、白色光を発生する。ＬＥＤ基板２０および着色透光部材２５は、装飾用導光板１５の端面に入射する光の色を変更可能な色可変端面光源ユニット２３を構成している。
【００２１】
着色透光部材２５は、図２に図解的に示すように、上下方向にスライド可能に飾り具本体１０に支持されている。より具体的には、着色透光部材２５は、飾り具本体１０の上面１０ａ付近にまで延びており、飾り具本体１０の上面１０ａから上方に抜き取ることができ、かつ、飾り具本体１０の上面１０ａからその内部へと差し入れて、ＬＥＤ基板２０と装飾用導光板１５の側面との間に配置することができる。こうして、着色透光部材２５は、飾り具本体１０に対して着脱自在に支持されている。
【００２２】
着色透光部材２５は、たとえば、厚さ２ミリメートル程度、幅６ミリメートル程度の帯状のカラーアクリル板で構成できる。このような帯状カラーアクリル板は、可撓性を有し、容易に変形できるので、飾り具本体１０に対する上面１０ａからの抜き差し操作が容易である。
ＬＥＤ基板２０から生成される白色光は、着色透光部材２５を透過することによって着色され、その着色された光が装飾用導光板１５の側面に入射する。この光が、装飾用導光板１５の表面（背面および正面の一方または両方）に施された彫刻や模様等の装飾パターン１８（図１および図２参照）によって、正面側に導かれて放射されることにより、光装飾効果を生じる。
【００２３】
図４は、遊技機設置島用飾り具２の横断面図であり、図５は、ＬＥＤ基板２０の近傍の構造を拡大して示す拡大断面図である。ベース板１１は、たとえば木材で構成されており、その正面側に扉板１２等を収容するための凹所３０が形成されている。この凹所３０内に納められるように、扉板１２が長蝶番３１によってベース板１１に開閉可能に結合されている。扉板１２は、枠状に形成された板状体であり、たとえば木材で構成されている。この扉板１２に、透明板状体からなる装飾用導光板１５が嵌め込まれている。この実施形態では、装飾用導光板１５は、無色透明の板状体であり、たとえば無色透明アクリル板で構成されている。装飾用導光板１５は、たとえば、厚さ５ミリメートル程度のアクリル板であってもよい。装飾用導光板１５の側面は、ＬＥＤ基板２０からの光が入射する光入射端面であり、研磨処理がされた研磨面であることが好ましい。
【００２４】
扉板１２の両側部には、その背面側に上下方向に延びる凹所３３が形成されている。この凹所３３は、扉板１２の上端まで延びており、飾り具本体１０の上面１０ａに開口する開口３４（図１および図２参照）を形成している。この凹所３３に、たとえばアルミニウムで構成されたチャネル状のフレーム３５が配置されている。したがって、フレーム３５は、上下方向に延びており、その上端が開口３４（図１および図２参照）の近傍にまで達していることが好ましい。フレーム３５は、飾り具本体１０の厚み範囲内、より具体的には扉板１２の厚み範囲内に配置されている。フレーム３５は、装飾用導光板１５の側部を挟持する挟持溝３６を形成しており、装飾用導光板１５の側部に向かって開いた入口部に装飾用導光板１５の縁部を表裏面から挟持する一対の挟持部３７が配置されている。この挟持部３７よりも挟持溝３６の奥側、すなわち底部にＬＥＤ基板２０を支持するＬＥＤ基板支持部３８が設けられている。ＬＥＤ基板支持部３８と挟持部３７との間に、着色透光部材２５を支持する着色透光部材支持部３９が配置されている。着色透光部材支持部３９は、装飾用導光板１５の側面に沿ったレール形状を有しており、上下方向に延びて、着色透光部材２５をスライド可能に支持している。着色透光部材支持部３９は、飾り具本体１０の上面に開いたレール形状に形成されている。
【００２５】
フレーム３５には、取付板４１が結合されており、この取付板４１は、扉板１２の背面に接している。取付板４１の背後には、たとえば金属製の導光板押さえ部材４２が配置されている。導光板押さえ部材４２は、取付板４１に接するフランジ４３を両側部に有し、その両側部のフランジ４３の内側が背後に向かって窪んで収容空間４４を形成している。この収容空間４４に、反射鏡４５が配置されている。反射鏡４５の背面には反射鏡４５を補強する補強板４６が設けられており、この補強板４６の背面に導光板押さえ部材４２が接している。導光板押さえ部材４２の両側部のフランジ４３は、たとえば背後から取付板４１とともに扉板１２にビス止めされている。これにより、装飾用導光板１５、ＬＥＤ基板２０および着色透光部材２５は、フレーム３５、取付板４１および扉板１２を介してベース板１１に支持され、飾り具本体１０の厚み範囲内に配置されている。
【００２６】
導光板押さえ部材４２のフランジ４３とベース板１１との間には、ＬＥＤ基板２０に電力を供給するための電源ユニット５０（より具体的には定電流電源ユニット）が配置されている。参照符号４８は、扉板１２の左側部（長蝶番３１とは反対側の側部）の位置を規制する戸当たり部材である。扉板１２の左側部は、その背面が戸当たり部材４８に当接した状態で、ボルト４９（図２参照）によって、ベース板１１に固定されている。
【００２７】
装飾用導光板１５の背面、すなわち、反射鏡４５に対向する表面には、装飾パターン１８を形成する凹溝５２が彫刻されている。凹溝５２は、たとえば、断面視において二等辺三角形状の溝であってもよい。凹溝５２は、装飾用導光板１５内を進行する光５３の直進を妨げ、その光の大部分を装飾用導光板１５の正面側へ反射させる。凹溝５２から背面側に向かう一部の光は、反射鏡４５によって反射されて、再び、装飾用導光板１５へと導かれ、正面側に出射される光強度の向上に寄与する。凹溝５２の形状（装飾パターン１８）は任意であり、幾何学模様であってもよいし、任意の文字表記を形成していてもよい。
【００２８】
この考案によれば、ＬＥＤ基板２０から発した光は着色透光部材２５を通ることによって着色され、その着色された光が装飾用導光板１５の端面である側面に入射する。装飾用導光板１５内を進む光は、背面に形成された凹溝５２によって、その進行方向に交差する方向へ導かれ、装飾用導光板１５の表面側へと導かれる。それにより、ＬＥＤの発する光によって、装飾用導光板１５を用いた光装飾効果を実現できる。
【００２９】
着色透光部材２５の色を変更すれば、光装飾の意匠を変更できるから、コストを抑制しながら光装飾の意匠を変更することができる。すなわち、装飾用導光板１５の設計を変更したりする必要がないので、光装飾の意匠変更を安価にかつ容易に行える。
とくに、この実施形態では、着色透光部材２５が飾り具本体１０に対して抜き差しでき、容易に着脱できる構造である。そのため、着色透光部材２５を取り外せば、ＬＥＤ基板２０の発光色による光装飾効果が得られ、着色透光部材２５を取り付ければ、当該着色透光部材２５で着色された色の光装飾効果が得られる。さらに、別の色の着色透光部材２５に交換すれば、その交換後の着色透光部材２５で着色された色の光装飾効果が得られる。したがって、着色透光部材２５の着脱によって、光装飾の意匠を容易に変更することができる。それにより、大きなコスト負担が生じることがなく、かつ容易な作業で、光装飾の意匠を変更できる。したがって、遊技機１の機種を変更する際や季節の変わり目に光装飾の意匠を変更して行う店内改装が、安価でかつ容易に行える。
【００３０】
しかも、ＬＥＤ基板２０と装飾用導光板１５の端面（側面）との間に着色透光部材２５を設ける構成は、標準的な妻板の厚み（たとえば５０ミリメートル）の範囲内に収容することができる。それにより、妻板型の島飾りを実現することができるから、遊技場の店内スペースが広くない場合であっても、光装飾効果を伴う島飾りを設置し、かつ十分な通路スペースを確保できる。
【００３１】
図６は、この考案の第２の実施形態に係る遊技機設置島用飾り具の正面図である。図６において、前述の図１〜図５に示した各部の対応部分は同一参照符号で示す。この実施形態では、遊技機設置島用飾り具２の上部、より具体的には扉板１２の上辺近傍の位置に、第１の実施形態の場合よりも小さな装飾用導光板５５が配置されている。この装飾用導光板５５の上辺に対向するように、左右方向に線状に延びたＬＥＤ基板５６が設けられている。ＬＥＤ基板５６と装飾用導光板５５の上端面との間に、着色透光部材５７が配置されている。ＬＥＤ基板５６および着色透光部材５７は、装飾用導光板５５の端面に入射する光の色を変更可能な色可変端面光源ユニット５９を構成している。
【００３２】
装飾用導光板５５は、この実施形態では、上下方向の長さが短く、したがって、その上端面に対向配置したＬＥＤ基板５６からの光が、その下端面まで十分に到達する。したがって、装飾用導光板５５の上端面付近に配置した１つのＬＥＤ基板５６により、十分な輝度の光装飾を実現することができる。このような比較的小さな装飾用導光板５５は、たとえば、遊技場の店名表示などに用いることができる。具体的には、装飾用導光板５５の背面側に、店名表示パターン５８の凹溝が形成されていてもよい。
【００３３】
着色透光部材５７は、扉板１２に対して着脱可能である。たとえば、ボルト４９を取り外して、扉板１２をベース板１１から手前に開くことによって扉板１２の背面側を露出させることで、着色透光部材５７が扉板１２に対して着脱できるようにされていてもよい。それにより、着色透光部材５７を必要に応じて取り外したり、交換したりすることができる。着色透光部材５７を取り外すことによって、ＬＥＤ基板５６の発光色での光装飾を行うことができる。着色透光部材５７の色を変更することにより、すなわち異なる色の着色透光部材５７と交換することによって、異なる色の光装飾を行うことができる。
【００３４】
図７は、この考案の第３の実施形態に係る遊技機設置島用飾り具の構成を説明するための分解斜視図である。図７において、前述の図３に示した各部に対応する部分には同一の参照符号を付して示す。この実施形態では、装飾用導光板１５の両側面に、着色透光部材としてのカラーフィルム６０（明瞭化のために網掛け表示で示す。）が貼着されている。すなわち、ＬＥＤ基板２０と装飾用導光板１５の側面との間に、カラーフィルム６０が配置されている。ＬＥＤ基板２０から発した光は、カラーフィルム６０によって着色された後に、装飾用導光板１５に入射する。それにより、カラーフィルム６０によって着色された光による光装飾を実現することができる。ＬＥＤ基板２０およびカラーフィルム６０は、装飾用導光板１５の端面に入射する光の色を変更可能な色可変端面光源ユニット６１を構成している。
【００３５】
カラーフィルム６０は、必要に応じて装飾用導光板１５の側面からはぎ取ることができる。そして、別の色のカラーフィルム６０を装飾用導光板１５の側面に貼り付けることができる。カラーフィルム６０を貼り付けていない状態では、ＬＥＤ基板２０が発する色の光が装飾用導光板１５に入射し、その色の光による光装飾効果を得ることができる。カラーフィルム６０を交換して異なる色のカラーフィルム６０を装飾用導光板１５の側面に貼着すれば、当該異なる色の光装飾効果を得ることができる。
【００３６】
装飾用導光板１５の側面に１枚のカラーフィルム６０が貼り付けられた状態で、そのカラーフィルム６０の表面にさらに別の色のカラーフィルムを積層して貼着してもよい。この場合には、その２枚のカラーフィルムによって着色された混合色の光による光装飾効果が得られる。貼着されるカラーフィルムの枚数は３枚以上であってもよい。
図８は、この考案の第４の実施形態に係る遊技機設置島用飾り具の構造を説明するための断面図であり、前述の第１の実施形態の説明において用いた図５に対応する部分の構造が示されている。
【００３７】
この実施形態では、フレーム３５に設けられたレール状の着色透光部材支持部３９に、２枚の着色透光部材７１，７２、より具体的には２枚のカラーアクリル板が重ねられて配置されている。この２枚の着色透光部材７１，７２は、帯状体であり、着色透光部材支持部３９に対してスライド自在であり、飾り具本体１０の上面１０ａ（図１および図２参照）から抜き差しすることができる。
【００３８】
ＬＥＤ基板２０および着色透光部材７１，７２は、装飾用導光板１５の端面に入射する光の色を変更可能な色可変端面光源ユニット７３を構成している。ＬＥＤ基板２０から発生した光は、２枚の着色透光部材７１，７２の色に着色され、より正確にはそれらの混合色に着色されて、装飾用導光板１５に入射する。それにより、当該混合色による光装飾効果を得ることができる。第１および第２の着色透光部材７１，７２のうち、第２の着色透光部材７２を取り去れば、第１の着色透光部材７１のみによって着色された光による光装飾効果が得られる。また、第１の着色透光部材７１を取り去って、第２の着色透光部材７２だけをフレーム３５に保持させておけば、この第２の着色透光部材７２のみによって着色された光による光装飾効果を得ることができる。そして、第１および第２の着色透光部材７１，７２の両方をフレーム３５から取り去れば、ＬＥＤ基板２０が発生した光（たとえば白色光）による光装飾効果を実現することができる。よって、着色透光部材７１，７２の配置により、４色の光装飾効果を実現することができる。
【００３９】
第１および第２の着色透光部材７１，７２は、図８に示すように、共通のレール状の支持部３９内に配置されてもよいし、フレーム３５に第１および第２の着色透光部材７１，７２に対応した第１および第２のレール状支持部を個別に設けておいてもよい。また、３枚以上の着色透光部材（カラーアクリル板）がＬＥＤ基板２０と装飾用導光板１５の側面との間に配置可能な構成となっていてもよい。
【００４０】
図９は、この考案の第５の実施形態に係る遊技機設置島用飾り具の構成を説明するための分解斜視図である。図９において、前述の図３に示した各部に対応する部分には同一の参照符号を付して示す。前述の実施形態では、ＬＥＤ基板２０は、白色光を発生するＬＥＤ素子２２を基板２１上に実装して構成されている。それに対して、この第５の実施形態では、ＬＥＤ基板２０は、発光色が可変な多色ＬＥＤ素子８３を基板２１上に実装して構成された多色発光ＬＥＤ基板である。各多色ＬＥＤ素子８３は、たとえば、三原色の発光部、より具体的には、赤色発光部８３Ｒ、緑色発光部８３Ｇおよび青色発光部８３Ｂを内蔵している。これらの色発光部８３Ｒ，８３Ｇ，８３Ｂのそれぞれの発光輝度（オン／オフを含む）を個別に制御することにより、多色ＬＥＤ素子８３は、任意の色の光を発生することができる。
【００４１】
多色ＬＥＤ素子８３の発光色を設定するために、ＬＥＤ基板２０には、発光色設定回路８０が接続されている。発光色設定回路８０で発光色を設定することによって、ＬＥＤ基板２０は当該設定に従って駆動される。それにより、ＬＥＤ基板２０から当該設定に従う色の光が発生し、その光が装飾用導光板１５の側面に入射する。ＬＥＤ基板２０および発光色設定回路８０は、装飾用導光板１５の端面に入射する光の色を変更可能な色可変端面光源ユニット８５を構成している。
【００４２】
発光色の設定変更のために、発光色設定回路８０には、コントローラ８１が接続される。コントローラ８１は、発光色設定回路８０に常時接続されていてもよいし、必要時に接続されてもよい。また、コントローラ８１は、発光色設定回路８０と一体化されていてもよい。コントローラ８１は、手動操作で発光色を可変設定するための設定スイッチを備えていてもよい。
【００４３】
このような構成により、発光色設定回路８０により多色発光ＬＥＤ基板２０の発光色の設定を変更することによって、様々な色の光を装飾用導光板１５に入射させることができる。したがって、発光色の設定を変更することにより、光装飾の色を変更することができる。
この実施形態では、前述の第１の実施形態等で用いられる着色透光部材２５を備える必要はない。したがって、ＬＥＤ基板２０を支持するためのフレーム３５（図５等参照）は、着色透光部材支持部３９を備える必要がない。着色透光部材２５をＬＥＤ基板２０と装飾用導光板１５の側面との間に配置する必要がないので、ＬＥＤ基板２０と装飾用導光板１５の側面との間の距離を短縮できる。それにより、ＬＥＤ基板２０が発生する光を装飾用導光板１５に効率的に導入できる。
【００４４】
発光色設定回路８０は、装飾用導光板１５の左右の側面にそれぞれ対向する一対のＬＥＤ基板２０の発光色を同一色に設定するように構成されていてもよいし、異なる色に設定可能に構成されていてもよい。また、発光色設定回路８０は、装飾用導光板１５の一つの側面に対向するＬＥＤ基板２０の発光色を、上下方向に関して分割した複数の領域毎に個別に設定したり、個々のＬＥＤ素子８３の発光色を個別に設定したりできるように構成されていてもよい。さらに、発光色設定回路８０は、ＬＥＤ基板２０の発光色を時間経過に伴って動的に変動するように設定可能な構成を有していてもよい。
【００４５】
なお、多色発光ＬＥＤ基板２０を用い、併せて着色透光部材２５をＬＥＤ基板２０と装飾用導光板１５との間に介装してもよい。この場合には、着色透光部材支持部３９を備えたフレーム３５（図５等参照）を用いればよい。
以上、この考案の実施形態について説明してきたが、この考案は、さらに他の形態で実施することもできる。たとえば、前述の第１〜第４の実施形態では、白色光を発光するＬＥＤを用いているが、白色以外の着色光を発生する単色ＬＥＤ素子を実装したＬＥＤ基板が用いられてもよい。また、装飾用導光板についても、無色透明である必要はなく、着色された透明な板状体、より具体的にカラーアクリル板が用いられてもよい。
【００４６】
また、前述の第１の実施形態等では、装飾用導光板１５の両側面に対向するように一対のＬＥＤ基板２０が配置されているが、一方の側面側にだけＬＥＤ基板を配置してもよい。ただし、両側面にそれぞれ対向する一対のＬＥＤ基板を設ける構成とした方が、輝度の高い光装飾を実現できる。装飾用導光板１５の幅が小さければ、一方の側面側にだけＬＥＤ基板を配置しても、十分な輝度の光装飾を実現できる。
【００４７】
さらに、前述の実施形態では、一枚の装飾用導光板１５，５５を備えた遊技機設置島用飾り具２の構成を説明したが、複数枚の装飾用導光板が一つの遊技機設置島用飾り具に備えられてもよい。この場合、各装飾用導光板の端面に対向するように、色可変端面光源ユニットを備えることが好ましい。
装飾用導光板は、矩形である必要はない。たとえば、装飾用導光板が曲面状の端面を有していてもよい。この場合には、その曲面状端面に沿う湾曲形状の着色透光部材を配置し、さらにその着色透光部材を挟んで曲面状端面に対向するように曲線状のＬＥＤ基板を配置すればよい。曲線状のＬＥＤ基板は、可撓性の基板を用いて構成されてもよいし、複数の直線状ＬＥＤ基板を折れ線状に配列して構成されてもよい。
【００４８】
装飾用導光板には、アクリル板のほかにも、ポリカーボネート板等の他の材料の透明板状体を用いることができる。着色透光部材についても同様であり、アクリル板以外にも、ポリカーボネート板等の他の材料の透明板状体を用いることができる。ただし、ＬＥＤ基板に近接して配置されるので、耐熱性の材料で着色透光部材を構成することが好ましい。
装飾用導光板の背後に配置される反射鏡は、装飾用導光板の背面に形成された反射層で構成されてもよい。たとえば、一方表面に反射層が形成されたアクリル板、すなわちアクリルミラーを装飾用導光板として用いてもよい。ただし、装飾用導光板は、導光のための十分な厚みを確保して、全面において十分な輝度で装飾光を放射できるようにすることが好ましい。厚みの大きなアクリルミラーは一般に高価であるので、コストの観点からは、透明アクリル板と、それとは別体の反射鏡とを組み合わせて用いることが好ましい。
【００４９】
また、この発明は、遊技機設置島の端部に配置される飾り具だけでなく、たとえば、幕板７に適用することもでき、それにより、幕板７により光装飾を行う遊技機設置島用飾り具を提供できる。
その他、実用新案登録請求の範囲に記載された事項の範囲で種々の設計変更を施すことが可能である。
【符号の説明】
【００５０】
１  遊技機
２  遊技機設置島用飾り具
３  遊技機設置島
７  幕板
１０  飾り具本体
１１  ベース板
１２  扉板
１５  装飾用導光板
２０  ＬＥＤ基板
２１  基板
２２  ＬＥＤ素子
２３  色可変端面光源ユニット
２５  着色透光部材
３５  フレーム
３６  挟持溝
３７  挟持部
３８  ＬＥＤ基板支持部
３９  着色透光部材支持部
４２  導光板押さえ部材
４５  反射鏡
５０  電源ユニット
５５  装飾用導光板
５６  ＬＥＤ基板
５７  着色透光部材
５９  色可変端面光源ユニット
６０  カラーフィルム
６１  色可変端面光源ユニット
７１  第１の着色透光部材
７２  第２の着色透光部材
７３  色可変端面光源ユニット
８０  発光色設定回路
８１  コントローラ
８３  多色ＬＥＤ素子
８５  色可変端面光源ユニット
【図１】
0003210434.tif 000003
【図２】
0003210434.tif 000004
【図３】
0003210434.tif 000005
【図４】
0003210434.tif 000006
【図５】
0003210434.tif 000007
【図６】
0003210434.tif 000008
【図７】
0003210434.tif 000009
【図８】
0003210434.tif 000010
【図９】
0003210434.tif 000011
【手続補正書】
【提出日】平成29年3月15日(2017.3.15)
【手続補正１】
【補正対象書類名】実用新案登録請求の範囲
【補正対象項目名】全文
【補正方法】変更
【補正の内容】
【実用新案登録請求の範囲】
【請求項１】
遊技場における複数の遊技機が配列される遊技機設置島に配置される飾り具であって、
飾り具本体と、
飾り具本体に支持された装飾用導光板と、
前記装飾用導光板の端面に対向するように前記飾り具本体に支持され、複数のＬＥＤが前記装飾用導光板の端面に沿って配列して実装されたＬＥＤ基板を含み、前記装飾用導光板の端面に入射する光の色を変更可能な色可変端面光源ユニットと、
を含む、遊技機設置島用飾り具。
【請求項２】
前記飾り具本体が前記装飾用導光板の端面を取り囲む枠状に構成されており、
前記ＬＥＤ基板が、前記装飾用導光板の端面を外側から照らすように配置されている、請求項１に記載の遊技機設置島用飾り具。
【請求項３】
前記飾り具本体が、板状に構成されており、前記飾り具が妻板型の島飾りを構成している、請求項１または２に記載の遊技機設置島用飾り具。
【請求項４】
前記色可変端面光源ユニットが、前記ＬＥＤ基板と前記装飾用導光板の端面との間に設けられ、前記ＬＥＤが発する光を着色して前記装飾用導光板の端面に入射させる着色透光部材を含む、請求項１〜３のいずれか一項に記載の遊技機設置島用飾り具。
【請求項５】
前記着色透光部材が、前記飾り具本体に対して着脱自在に支持されている、請求項４に記載の遊技機設置島用飾り具。
【請求項６】
前記装飾用導光板を挟持する挟持溝と、前記挟持溝の底部に設けられ前記ＬＥＤ基板を支持するＬＥＤ基板支持部と、前記着色透光部材を支持する着色透光部材支持部とを有し、前記飾り具本体に取り付けられるフレームをさらに含む、請求項４または５に記載の遊技機設置島用飾り具。
【請求項７】
前記着色透光部材支持部が、前記装飾用導光板の端面に沿ったレール形状を有し、前記着色透光部材をスライド可能に支持している、請求項６に記載の遊技機設置島用飾り具。
【請求項８】
前記装飾用導光板の端面が、上下方向に沿った側面を有しており、前記フレームが前記側面に沿って上下方向に延びて設けられ、前記レール形状の着色透光部材支持部が、飾り具本体の上面に開いたレール形状を有し、前記着色透光部材をスライド可能に支持している、請求項７に記載の遊技機設置島用飾り具。
【請求項９】
前記装飾用導光板の端面が、上下方向に沿った左右一対の側面を有しており、一対の前記フレームが前記一対の側面にそれぞれ沿って上下方向に延びて設けられ、前記レール形状の着色透光部材支持部が、前記飾り具本体の上面に開いたレール形状を有し、前記着色透光部材をスライド可能に支持している、請求項７に記載の遊技機設置島用飾り具。
【請求項１０】
前記ＬＥＤ基板が、複数色の光を発光可能な多色発光ＬＥＤ基板であり、
前記色可変端面光源ユニットが、前記多色発光ＬＥＤ基板の発光色を可変設定する発光色設定回路を含む、請求項１〜９のいずれか一項に記載の遊技機設置島用飾り具。
【請求項１１】
前記飾り具本体が板状に構成されており、前記装飾用導光板および前記ＬＥＤ基板が、前記飾り具本体の厚み内に配置されている、請求項１〜１０のいずれか一項に記載の遊技機設置島用飾り具。
【請求項１２】
前記装飾用導光板の背面側に配置された反射鏡をさらに含む、請求項１〜１１のいずれか一項に記載の遊技機設置島用飾り具。